(57)【要約】【課題】光学性能に悪影響を及ぼすことなく迷光の大部分を効果的に遮光し、感光体の表面への迷光の投射による印刷画像への悪影響を最小限に抑えることができる光学走査装置及びこれを備えた画像形成装置を提供する。【解決手段】レーザダイオードからのレーザ光を偏向走査するポリゴンミラー７４と、ポリゴンミラー７４の反射面で反射されて主走査方向に走査されるレーザ光を反射する反射ミラー７６と、反射ミラー７６で反射されたレーザ光を透過させて感光体ドラム３の表面に入射する第２ｆθレンズ７７とを備えている。反射ミラー７６ｋ，７６ｃ，７６ｍ，７６ｙにおいて主走査方向に走査されるレーザ光の主光路Ｇの反射に使用する主光路反射使用領域７６Ａと隣接する主光路反射不使用領域７６Ｂを、レーザ光の反射を抑制する非反射部材６１によってマスキングしている。【選択図】図４
2010145486.tif 000002
【特許請求の範囲】
【請求項１】
レーザ光を照射する光源と、
上記光源からのレーザ光を偏向走査する回転多面鏡と、
上記回転多面鏡の反射面で反射されて主走査方向に走査されるレーザ光を反射する反射ミラーと、
上記反射ミラーで反射されたレーザ光を透過させて感光体の表面に入射するｆθレンズとを備えており、
上記反射ミラーにおいて主走査方向に走査されるレーザ光の主光路の反射に使用する主光路反射使用領域と隣接している主光路反射不使用領域は、レーザ光の反射を抑制する非反射部材によってマスキングされていることを特徴とする光学走査装置。
【請求項２】
請求項１に記載の光学走査装置において、
上記非反射部材によってマスキングされる反射ミラーとしては、上記ｆθレンズからの迷光の再反射距離が遠くかつ上記回転多面鏡への迷光の再反射距離が近い位置の反射ミラーが適用されていることを特徴とする光学走査装置。
【請求項３】
請求項１または請求項２に記載の光学走査装置において、
上記主光路反射不使用領域は、上記反射ミラー上における主光路反射使用領域の主走査方向と直交する方向に隣接して設けられていることを特徴とする光学走査装置。
【請求項４】
請求項１〜請求項３のいずれか１つに記載の光学走査装置において、
上記主光路反射使用領域は、上記反射ミラー上における主走査方向と直交する方向の略中央に位置しており、
上記主光路反射不使用領域は、上記反射ミラー上における上記主光路反射使用領域の主走査方向と直交する両側にそれぞれ隣接して設けられていることを特徴とする光学走査装置。
【請求項５】
請求項１〜請求項３のいずれか１つに記載の光学走査装置において、
上記主光路反射使用領域は、上記反射ミラー上における主走査方向と直交する一側に位置しており、
上記主光路反射不使用領域は、上記反射ミラー上における上記主光路反射使用領域の主走査方向と直交する他側に隣接して設けられていることを特徴とする光学走査装置。
【請求項６】
請求項１〜請求項３のいずれか１つに記載の光学走査装置において、
上記主光路反射使用領域は、上記反射ミラー上における主走査方向に対し湾曲しており、
上記主光路反射不使用領域は、上記反射ミラー上における主光路反射使用領域の主走査方向と直交する両側に沿ってそれぞれ隣接して設けられていることを特徴とする光学走査装置。
【請求項７】
請求項１〜請求項６のいずれか１つに記載の光学走査装置において、
上記非反射部材は、上記レーザ光を拡散させる表面粗さを備えたシート部材により形成されていることを特徴とする光学走査装置。
【請求項８】
請求項１〜請求項６のいずれか１つに記載の光学走査装置において、
上記非反射部材は、反射率の低い色彩の材料により形成されていることを特徴とする光学走査装置。
【請求項９】
請求項１〜請求項６のいずれか１つに記載の光学走査装置において、
上記非反射部材は、上記反射ミラーに塗装される塗装剤であることを特徴とする光学走査装置。
【請求項１０】
請求項１〜請求項９のいずれか１つに記載の光学走査装置を備えたことを特徴とする画像形成装置。
【発明の詳細な説明】
【技術分野】
【０００１】
本発明は、レーザ光を反射させて感光体の表面に入射する反射ミラーを備えた光学走査装置、およびこれを備える複写機、プリンター、ファクシミリ等の電子写真方式の画像形成装置に関し、詳しくは、反射ミラーにおいてレーザ光の主光路の反射に使用されない主光路反射不使用領域でのレーザ光の反射を抑制する対策に係る。
【背景技術】
【０００２】
この種の電子写真方式の画像形成装置においては、レーザ光により感光体の表面を走査しつつ、レーザ光の強度を制御して、画像や文字等の潜像を感光体の表面に１主走査ラインずつ書込み、感光体の表面の潜像をトナーにより現像して、感光体の表面にトナー像を形成し、感光体の表面のトナー像を記録用紙に転写している。
【０００３】
このようなレーザ光の投射には光学走査装置が用いられている。この光学走査装置は、レーザ光を出射する半導体レーザと、半導体レーザからのレーザ光を反射して偏向走査する回転多面鏡と、回転多面鏡により偏向走査されたレーザ光を屈折させる複数のレンズとを備え、偏向走査されたレーザ光を、各レンズを介して感光体の表面上に集光投射している。そして、感光体の表面上ではレーザ光が主走査方向に繰り返し走査されつつ、感光体の表面が副走査方向に移動されて、感光体の表面上に潜像が形成される。
【０００４】
一般に、半導体レーザから感光体の表面までのレーザ光の主光路には複数のレンズが設けられており、これらのうちにはｆθレンズやトロイダルレンズ等が含まれる。ｆθレンズは、回転多面鏡で反射されて等角速度で移動するレーザ光を感光体の表面上で等速度で移動するように補正している。また、トロイダルレンズは、レーザ光の光束を副走査方向に補正している。
【０００５】
このような構成の光学走査装置において、回転多面鏡の１つの反射面（鏡面）で反射されたレーザ光は、複数のレンズを介して感光体の表面上に集光投射されるが、このとき、回転多面鏡の互いに相隣なる反射面同士の角部に当たって反射するレーザ光が再び回転多面鏡に入射されるといった問題があった。これは、回転多面鏡の角部に当たって反射するレーザ光が主光路から外れているため、レーザ光の主光路上に位置する反射ミラーを保持するための保持部で反射したレーザ光が再び回転多面鏡に入射するからである。
【０００６】
そこで、レーザ光の主光路上に位置する反射ミラーを保持する保持部の端面に、回転多面鏡の角部に当たって反射するレーザ光（主光路から外れたレーザ光）を回転多面鏡に対する入射領域外に向けて反射させるような傾斜面などを形成することで、レーザ光の主光路上に位置する反射ミラーを保持するための保持部で反射したレーザ光が再び回転多面鏡に入射しないようにしたものが知られている（例えば、特許文献１参照）。
【特許文献１】特開平６−１０９９９６号公報
【発明の開示】
【発明が解決しようとする課題】
【０００７】
ところで、レーザ光の主光路から外れた迷光は、回転多面鏡の角部に当たって反射するレーザ光のみにあらず、ｆθレンズを透過しようとするレーザ光の主光路のうちの一部の光が迷光となって再び回転多面鏡に入射することもある。これは、図７に示すように、ｆθレンズ８１がレーザ光の入射側（図７では下側）に凸面８１ａとなっているために、このｆθレンズ８１に入射しようとするレーザー光の主光路Ｇ１のうちの一部の光がｆθレンズ８１の凸面８１ａに反射して広がり、この反射して広がった光が迷光Ｇ２（図７に二点鎖線で示す）となって再び回転多面鏡に入射されるからである。なお、図７中８２は感光体である。
【０００８】
その場合、ｆθレンズで反射した迷光が再び回転多面鏡に入射しないように、ｆθレンズを迷光の光路に対し傾けて配置することで、ｆθレンズで反射した迷光を回転多面鏡に対する入射領域外に向けるようにすることが考えられる。
【０００９】
しかし、ｆθレンズが傾けて配置されていると、ｆθレンズを透過するレーザ光の主光路にも影響を与え、光学性能に悪影響を及ぼすおそれがある。
【００１０】
一方、近年の高速化への要求に伴う回転多面鏡の反射面数の増加と相俟って、これらの反射面で再反射した迷光も増える傾向にある。そのため、回転多面鏡の角部に当たって反射した迷光（レーザ光）やｆθレンズで反射した迷光などを回転多面鏡に対する入射領域外に向けるようにすることが行われているものの、これらの迷光は、回転多面鏡の反射面で再反射した迷光と共に、他のレーザ光の光路上に位置する反射ミラーやレンズなどに再反射して感光体の表面に投射されるおそれがある。
【００１１】
具体的には、図８に示すように、ブラック（Ｋ）、シアン（Ｃ）、マゼンタ（Ｍ）、イエロー（Ｙ）の各色に対応するそれぞれのレーザダイオードからのレーザ光をミラーにより反射させ、このミラーにより反射した各レーザ光を反射させる回転多面鏡９１と、この回転多面鏡９１からの各レーザ光を屈折させる第１ｆθレンズ９２と、第１ｆθレンズ９２を透過した各レーザ光を個別に反射する複数の反射ミラー９３ｋ，９３ｃ，９３ｍ，９３ｙと、これらの各反射ミラー９３ｋ，９３ｃ，９３ｍ，９３ｙからの各レーザ光をそれぞれ個別に屈折させる４つの第２ｆθレンズ９４ｋ，９４ｃ，９４ｍ，９４ｙとを備えた光学走査装置９において、ブラックに対応するレーザダイオードからのレーザ光の主光路（図８において一点鎖線で示す）は、回転多面鏡９１で反射されて主走査方向（図８では紙面手前奥方向）に走査され、さらに第１ｆθレンズ９２を透過して反射ミラー９３ｋで反射してから第２ｆθレンズ９４ｋを透過して、ブラックに対応する感光体９５ｋの表面に投射される。このとき、ブラックに対応する感光体９５ｋの表面に対し第２ｆθレンズ９４ｋを透過して投射されるレーザ光の主光路の一部の光が第２ｆθレンズ９４ｋの凸面に反射して広がって迷光（図８において二点鎖線で示す）となり、この迷光が、マゼンタに対応するレーザダイオードからのレーザ光を反射する反射ミラー９３ｍの上端で再反射し、第２ｆθレンズ９４ｍを透過して、ブラックとは異なるマゼンタに対応する感光体９５ｍの表面に投射される。
【００１２】
また、図９に示すように、マゼンタに対応するレーザダイオードからのレーザ光の主光路（図９において一点鎖線で示す）は、回転多面鏡９１で反射されて主走査方向Ｘに走査され、さらに第１ｆθレンズ９２を透過して反射ミラー９３ｍで反射してから第２ｆθレンズ９４ｍを透過して、マゼンタに対応する感光体９５ｍの表面に投射される。このとき、マゼンタに対応する感光体９５ｍの表面に対し第２ｆθレンズ９４ｍを透過して投射されるレーザ光の主光路の一部の光が第２ｆθレンズ９４ｍの凸面に反射して広がって迷光（図９において二点鎖線で示す）となり、この迷光が、反射ミラー９３ｍの下端で再反射し、第２ｆθレンズ９４ｍを透過して、マゼンタに対応する感光体９５ｍの表面に投射される。更に、第２ｆθレンズ９４ｍの凸面に反射した迷光（図９において二点鎖線で示す）は、反射ミラー９３ｍの上端でも再反射し、第１ｆθレンズ９２を透過して回転多面鏡９１に再入射される。なお、図９の構成は、図８の構成と同じであり、同一部分については同じ符号を付してその詳細な説明は省略している。
【００１３】
このように、他のレーザ光の光路上に位置する反射ミラーやレンズなどに再反射した迷光が感光体の表面に投射されると、その感光体の表面での露光強度が極端に低下し、印刷画像に悪影響を及ぼすことが危惧される。
【００１４】
本発明は、かかる点に鑑みてなされたものであり、その目的とするところは、光学性能に悪影響を及ぼすことなく迷光の大部分を効果的に遮光し、感光体の表面への迷光の投射による印刷画像への悪影響を最小限に抑えることができる光学走査装置およびこれを備えた画像形成装置を提供することにある。
【課題を解決するための手段】
【００１５】
上記目的を達成するため、本発明では、レーザ光を照射する光源と、上記光源からのレーザ光を偏向走査する回転多面鏡と、上記回転多面鏡の反射面で反射されて主走査方向に走査されるレーザ光を反射する反射ミラーと、上記反射ミラーで反射されたレーザ光を透過させて感光体の表面に入射するｆθレンズとを備えた光学走査装置として、上記反射ミラーにおいて主走査方向に走査されるレーザ光の主光路の反射に使用する主光路反射使用領域と隣接している主光路反射不使用領域を、レーザ光の反射を抑制する非反射部材によってマスキングしている。
【００１６】
この特定事項により、光源からのレーザ光の主光路は、反射ミラーの主光路反射使用領域において反射し、ｆθレンズを透過して感光体の表面に入射される。
【００１７】
その場合、他のレーザ光の光路上に位置する反射ミラーやレンズなどに再反射した迷光が反射ミラーに入射しようとしても、当該反射ミラーにおいてレーザ光の主光路の反射に使用される主光路反射使用領域と隣接する主光路反射不使用領域をマスキングした非反射部材によって反射ミラーでの迷光の再反射が抑制される。このため、反射ミラーに入射しようとする迷光の大部分が遮光され、感光体の表面への迷光の投射による露光強度の低下を抑制して、印刷画像への悪影響を抑えることが可能となる。
【００１８】
特に、上記非反射部材によってマスキングされる反射ミラーを特定するものとして、以下の構成が掲げられる。つまり、上記非反射部材によってマスキングされる反射ミラーとして、上記ｆθレンズからの迷光の再反射距離が遠くかつ上記回転多面鏡への迷光の再反射距離が近い位置の反射ミラーを適用している。
【００１９】
この特定事項により、ｆθレンズの凸面に反射して広がって回転多面鏡に近付くに従い幅広となる迷光は、ｆθレンズからの再反射距離が遠くかつ回転多面鏡への再反射距離が近い位置の反射ミラーにおいてその主光路反射使用領域と隣接する主光路反射不使用領域をマスキングした非反射部材によって、その大部分が効率よく遮光されることになる。しかも、当該反射ミラーにおける主光路反射不使用領域が非反射部材によってマスキングされていることにより、他のレーザ光の光路上に位置する反射ミラーやレンズなどに再反射した迷光もその大部分が効率よく遮光されることになる。
【００２０】
特に、上記主光路反射不使用領域を特定するものとして、以下の構成が掲げられる。つまり、上記主光路反射不使用領域を、上記反射ミラー上における主光路反射使用領域の主走査方向と直交する方向に隣接して設けている。
【００２１】
この特定事項により、レーザ光の走査時に反射ミラー上の主光路反射使用領域を走査されるレーザ光の主光路が非反射部材によって遮光されることがない。これにより、主光路反射使用領域の主走査方向と直交する方向において主光路反射不使用領域をマスキングした非反射部材によって、迷光を遮光しつつレーザ光の主光路を円滑に反射することが可能となる。
【００２２】
そして、上記主光路反射不使用領域をより具体的に特定するものとして、以下の構成が掲げられる。つまり、上記主光路反射不使用領域を、上記反射ミラー上における主走査方向と直交する方向の略中央に位置する上記主光路反射使用領域の主走査方向と直交する両側にそれぞれ隣接して設けている。
【００２３】
この特定事項により、レーザ光の走査時に反射ミラー上において主光路反射使用領域を走査されるレーザ光の主光路が反射ミラーの主走査方向と直交する方向の略中央で反射するように設計されていても、その主光路反射使用領域の主走査方向と直交する両側において主光路反射不使用領域をそれぞれマスキングした非反射部材によって、主光路反射使用領域の主走査方向と直交する両側の主光路反射不使用領域において再反射しようとする迷光を遮光しつつ反射ミラーの主走査方向と直交する方向の略中央の主光路反射使用領域においてレーザ光の主光路を円滑に反射することが可能となる。
【００２４】
これに対し、上記主光路反射不使用領域を、上記反射ミラー上における主走査方向と直交する一側に位置する上記主光路反射使用領域の主走査方向と直交する他側に隣接して設けている場合には、レーザ光の走査時に反射ミラー上において主光路反射使用領域を走査されるレーザ光の主光路が反射ミラーの主光路反射使用領域の主走査方向と直交する一側で反射するように設計されていても、その主光路反射使用領域の主走査方向と直交する他側において主光路反射不使用領域をそれぞれマスキングした非反射部材によって、主光路反射使用領域の主走査方向と直交する他側の主光路反射不使用領域において再反射しようとする迷光を遮光しつつ反射ミラーの主走査方向と直交する一側の主光路反射使用領域においてレーザ光の主光路を円滑に反射することが可能となる。
【００２５】
また、上記反射ミラー上において主光路反射使用領域が主走査方向に対し湾曲している場合には、上記主光路反射不使用領域を、上記主光路反射使用領域の主走査方向と直交する両側に沿ってそれぞれ隣接して設けている。
【００２６】
この特定事項により、レーザ光の走査時に反射ミラー上において主光路反射使用領域を走査されるレーザ光の主光路にボウが生じてレーザ光の主光路が湾曲していても、そのボウが生じた主光路の反射に使用されるように湾曲している主光路反射使用領域の主走査方向と直交する両側において隣接する主光路反射不使用領域をそれぞれ主光路反射使用領域に沿ってマスキングする非反射部材によって、主光路反射使用領域の主走査方向と直交する両側の主光路反射不使用領域において再反射しようとする迷光を遮光し、湾曲する主光路反射使用領域においてボウの生じたレーザ光の主光路を円滑に反射することが可能となる。
【００２７】
特に、非反射部材を特定するものとして、以下の構成が掲げられる。つまり、上記レーザ光を拡散させる表面粗さを備えたシート部材や反射率の低い色彩の材料により上記非反射部材を形成している。
【００２８】
この特定事項により、迷光は、非反射部材に入射されても拡散されたり低い反射率で反射し、迷光を効果的に遮光することが可能となる。
【００２９】
これに対し、上記非反射部材として上記反射ミラーに塗装される塗装剤を適用している場合には、反射ミラーに対する非反射部材の設置が簡単かつ安価に行える上、非反射部材の設置自由度が飛躍的に向上し、実施する上で非常に有利なものとなる。
【００３０】
更に、このような光学走査装置を画像形成装置に用いた場合には、光学性能に悪影響を及ぼすことなく迷光の大部分を効果的に遮光して、感光体の表面への迷光の投射による印刷画像への悪影響を最小限に抑え得る画像形成装置を提供することが可能となる。
【発明の効果】
【００３１】
以上、要するに、反射ミラーにおいてレーザ光の主光路の反射に使用されない主光路反射不使用領域を非反射部材によってマスキングすることで、反射ミラーに入射した迷光の再反射を抑制して迷光の大部分を遮光し、感光体の表面への迷光の投射による露光強度の低下を抑制して、印刷画像への悪影響を抑えることができる。
【発明を実施するための最良の形態】
【００３２】
以下、本発明の実施の形態について、図面を参照して説明する。
【００３３】
図１は、本発明の実施形態に係る光学走査装置を適用した画像形成装置を示す概略断面図である。この画像形成装置Ａは、原稿の画像を読取る原稿読取り装置Ｂを備え、この原稿読取り装置Ｂにより読取られた原稿の画像または外部から受信した画像をカラーもしくは単色で記録用紙に記録形成するようにしている。
【００３４】
原稿読取り装置Ｂでは、原稿が原稿セットトレイ４０にセットされると、ピックアップローラ４１が原稿表面に押し付けられて回転することで、原稿が原稿セットトレイ４０から引き出され、次のサバキローラ４２と分離パッド４３との間を通過して１枚ずつに分離されてから、搬送経路４４へと搬送されるようになっている。
【００３５】
搬送経路４４では、原稿の先端がレジストローラ４５に当接することで、原稿の先端がレジストローラ４５と平行に揃えられ、この後に原稿がレジストローラ４５により搬送されて原稿ガイド４６と読取りガラス４７との間を通過する。このとき、第１走査部４８の光源の光が読取りガラス４７を介して原稿表面に照射され、その反射光が読取りガラス４７を介して第１走査部４８に入射し、この反射光が第１および第２走査部４８，４９のミラーで反射されて結像レンズ５０へと導かれ、この結像レンズ５０によって原稿の画像がＣＣＤ（Ｃｈａｒｇｅ  Ｃｏｕｐｌｅｄ  Ｄｅｖｉｃｅ）５１上に結像される。このＣＣＤ５１は、原稿の画像を読取り、原稿の画像を示す画像データを出力する。さらに、原稿は、搬送ローラ５２により搬送され、排紙ローラ５３を介して原稿排紙トレイ５４に排出されるようになっている。
【００３６】
また、原稿台ガラス５５上に載置された原稿を読取ることができる。レジストローラ４５、原稿ガイド４６、原稿排紙トレイ５４等とそれらよりも上側の部材とは、一体化されて、原稿読取り装置Ｂの背面側で開閉可能に枢支されたカバー体５６となっている。このカバー体５６が開かれると、原稿台ガラス５５が解放されて、原稿台ガラス５５上に原稿を載置することができる。原稿が載置されて、カバー体５６が閉じられると、第１および第２走査部４８，４９が副走査方向（図１では左右方向）に移動されつつ、第１走査部４８によって原稿台ガラス５５上の原稿表面が露光され、第１および第２走査部４８，４９によって原稿表面からの反射光が結像レンズ５０へと導かれ、この結像レンズ５０によって原稿の画像がＣＣＤ５１上に結像される。このとき、第１および第２走査部４８，４９が相互に所定の速度関係を維持しつつ移動されて、原稿表面、第１および第２走査部４８，４９、結像レンズ５０、ＣＣＤ５１という反射光の光路の長さが変化しないように、第１および第２走査部４８，４９の位置関係が常に維持され、これによりＣＣＤ５１上での原稿の画像のピントが常に正確に維持されるようになっている。
【００３７】
こうして読取られた原稿の画像全体は、画像データとして画像形成装置Ａへと送受され、画像形成装置Ａにおいて画像が記録用紙に記録される。
【００３８】
一方、画像形成装置Ａは、光学走査装置１、現像装置２、感光体ドラム３（感光体）、帯電器４、クリーナ装置５、中間転写ベルト装置８、定着装置１２、用紙搬送装置１８、給紙トレイ１０、および用紙排紙トレイ１５等により構成されている。
【００３９】
画像形成装置Ａにおいて扱われる画像データは、ブラック（Ｋ）、シアン（Ｃ）、マゼンタ（Ｍ）、イエロー（Ｙ）の各色を用いたカラー画像に応じたもの、または単色（例えばブラック）を用いたモノクロ画像に応じたものである。従って、現像装置２（２ｋ，２ｃ，２ｍ，２ｙ）、感光体ドラム３（３ｋ，３ｃ，３ｍ，３ｙ）、帯電器４（４ｋ，４ｃ，４ｍ，４ｙ）、クリーナ装置５（５ｋ，５ｃ，５ｍ，５ｙ）は各色に応じた４種類の潜像を形成するようにそれぞれ４個ずつ設けられ、それぞれｋがブラックに、ｃがシアンに、ｍがマゼンタに、ｙがイエローに対応付けられて、４つの画像ステーションＳｋ，Ｓｃ，Ｓｍ，Ｓｙが構成されている。
【００４０】
感光体ドラム３は、画像形成装置Ａのほぼ中央に配置されている。帯電器５は、感光体ドラム３の表面を所定の電位に均一に帯電させるための帯電手段であり、接触型であるローラ型やブラシ型の帯電器のほか、チャージャー型の帯電器が用いられる。
【００４１】
光学走査装置１は、レーザダイオードおよび反射ミラーを備えたレーザスキャニングユニット（ＬＳＵ）であり、帯電された感光体ドラム３表面を画像データに応じて露光して、その表面に画像データに応じた静電潜像を形成する。
【００４２】
現像装置２は、感光体ドラム３上に形成された静電潜像を（Ｋ，Ｃ，Ｍ，Ｙ）のトナーにより現像する。クリーナ装置５は、現像および画像転写後に感光体ドラム３表面に残留したトナーを除去および回収する。
【００４３】
感光体ドラム３の上方に配置されている中間転写ベルト装置８は、中間転写ベルト７、中間転写ベルト駆動ローラ２１、従動ローラ２２、中間転写ローラ６（６ｋ，６ｃ，６ｍ，６ｙ）、および中間転写ベルトクリーニング装置９を備えている。
【００４４】
中間転写ベルト駆動ローラ２１、中間転写ローラ６、従動ローラ２２等は、中間転写ベルト７を張架して支持し、中間転写ベルト７を矢印Ｃ方向に周回移動させる。
【００４５】
中間転写ローラ６は、中間転写ベルト７近傍に回転可能に支持され、中間転写ベルト７を介して感光体ドラム３に圧接され、感光体ドラム３のトナー像を中間転写ベルト７に転写するための転写バイアスを印加されている。
【００４６】
中間転写ベルト７は、各感光体ドラム３ｋ，３ｃ，３ｍ，３ｙに接触するように設けられており、各感光体ドラム３ｋ，３ｃ，３ｍ，３ｙ表面のトナー像を中間転写ベルト７に順次重ねて転写することによって、カラーのトナー像（各色のトナー像）を形成する。この転写ベルトは、厚さ１００μｍ〜１５０μｍ程度のフィルムを用いて無端ベルト状に形成されている。
【００４７】
感光体ドラム３から中間転写ベルト７へのトナー像の転写は、中間転写ベルト７裏面に圧接されている中間転写ローラ６によって行われる。中間転写ローラ６には、トナー像を転写するために高電圧の転写バイアス（トナーの帯電極性（−）とは逆極性（＋）の高電圧）が印加されている。中間転写ローラ６は、直径８〜１０ｍｍの金属（例えばステンレス）軸をベースとし、その表面は、導電性の弾性材（例えばＥＰＤＭ、発泡ウレタン等）により覆われているローラである。この導電性の弾性材により、記録用紙に対して均一に高電圧を印加することができる。
【００４８】
上述のように、各感光体ドラム３ｋ，３ｃ，３ｍ，３ｙ表面のトナー像は、中間転写ベルト７で積層され、画像データによって示されるカラーのトナー像となる。このように積層された各色のトナー像は、中間転写ベルト７と共に搬送され、中間転写ベルト７と接触する２次転写装置１１によって記録用紙上に転写される。
【００４９】
中間転写ベルト７と２次転写装置１１の転写ローラ１１ａとは、相互に圧接されてニップ域を形成する。また、２次転写装置１１の転写ローラ１１ａには、中間転写ベルト７上の各色のトナー像を記録用紙に転写させるための電圧（トナーの帯電極性（−）とは逆極性（＋）の高電圧）が印加される。さらに、そのニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等々）としている。
【００５０】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去および回収する。中間転写ベルトクリーニング装置９には、例えばクリーニング部材として中間転写ベルト７に接触するクリーニングブレードが備えられており、クリーニングブレードが接触する部位で、従動ローラ２２により中間転写ベルト７裏側が支持されている。
【００５１】
給紙トレイ１０は、記録用紙を格納しておくためのトレイであり、画像形成装置Ａの画像形成部の下側に設けられている。また、画像形成部の上側に設けられている用紙排紙トレイ１５は、印刷済みの記録用紙をフェイスダウンで載置するためのトレイである。
【００５２】
また、画像形成装置Ａには、給紙トレイ１０の記録用紙を２次転写装置１１や定着装置１２を経由させて用紙排紙トレイ１５に送るための用紙搬送装置１８が設けられている。この用紙搬送装置１８は、Ｓの字形状の用紙搬送経路２５を有し、この用紙搬送経路２５に沿って、ピックアップローラ１６、レジスト前ローラ１９、レジストローラ１４、定着装置１２、各搬送ローラ１３、および排紙ローラ１７等を配置したものである。
【００５３】
ピックアップローラ１６は、給紙トレイ１０の端部に設けられ、給紙トレイ１０から記録用紙を１枚ずつ用紙搬送経路２５に供給する呼び込みローラである。各搬送ローラ１３およびレジスト前ローラ１９は、記録用紙の搬送を促進補助するための小型のローラであり、用紙搬送経路２５に沿って複数箇所に設けられている。
【００５４】
レジストローラ１４は、搬送されて来た記録用紙を一旦停止させて、記録用紙の先端を揃え、中間転写ベルト７と２次転写装置１１間のニップ域で中間転写ベルト７上のカラーのトナー像が記録用紙に転写されるように、感光体ドラム３および中間転写ベルト７の回転にあわせて、記録用紙をタイミングよく搬送する。例えば、レジストローラ１４は、中間転写ベルト７と２次転写装置１１間のニップ域で中間転写ベルト７上のカラーのトナー像の先端が記録用紙における画像形成範囲の先端に合うように、記録用紙を搬送する。
【００５５】
定着装置１２は、トナー像が転写された記録用紙を受け取り、この記録用紙をヒートローラ３１および加圧ローラ３２間に挟み込んで搬送する。ヒートローラ３１は、所定の定着温度となるように制御されており、加圧ローラ３２とともに記録用紙を熱圧着することにより、記録用紙に転写されたトナー像を溶融、混合、圧接し、記録用紙に対して熱定着させる機能を有している。
【００５６】
各色のトナー像の定着後の記録用紙は、排紙ローラ１７によって用紙排紙トレイ１５上に排出される。
【００５７】
なお、画像形成ステーションＳｋだけを用いて、モノクロ画像を形成し、モノクロ画像を中間転写ベルト装置８の中間転写ベルト７に転写することも可能である。このモノクロ画像も、カラー画像と同様に、中間転写ベルト７から記録用紙に転写され、記録用紙上に定着される。
【００５８】
また、記録用紙の表面だけではなく、両面の印字を行なう場合は、記録用紙の表面の画像を定着装置１２により定着した後に、記録用紙を用紙搬送経路２５の排紙ローラ１７により搬送する途中で、排紙ローラ１７を停止させてから逆回転させ、記録用紙を反転経路Ｓｒに通して、記録用紙の表裏を反転させてから、記録用紙をレジストローラ１４へと導き、記録用紙の表面と同様に、記録用紙の裏面に画像を記録して定着し、記録用紙を用紙排紙トレイ１５に排出する。
【００５９】
図２および図３（ａ），（ｂ）は、本実施形態に係る光学走査装置１を詳細に示す斜視図、概略平面図、および概略断面図である。
【００６０】
本実施形態の光学走査装置１では、ブラック（Ｋ）、シアン（Ｃ）、マゼンタ（Ｍ）、イエロー（Ｙ）の各色に対応するそれぞれの光源としてのレーザダイオード７１（７１ｋ，７１ｃ，７１ｍ，７１ｙ）と、この各レーザダイオード７１ｋ，７１ｃ，７１ｍ，７１ｙのレーザ光を反射するミラー７２（７２ｋ，７２ｃ，７２ｍ，７２ｙ）と、このミラー７２ｋ，７２ｃ，７２ｍ，７２ｙからの各レーザ光を反射するミラー７３と、このミラー７３からの各レーザ光を反射する回転多面鏡（以下、ポリゴンミラーと称する）７４と、このポリゴンミラー７４からの各レーザ光を屈折させる第１ｆθレンズ７５と、この第１ｆθレンズ７５を透過した各レーザ光を個別に反射する複数の反射ミラー７６（７６ｋ，７６ｃ，７６ｍ，７６ｙ）と、これらの反射ミラー７６ｋ，７６ｃ，７６ｍ，７６ｙからの各レーザ光をそれぞれ個別に屈折させる４つの第２ｆθレンズ７７（７７ｋ，７７ｃ，７７ｍ，７７ｙ）とが、筐体１ａ内の所定位置に配置されている。
【００６１】
ポリゴンミラー７４は、８面体の正多角形柱状のものであって、高速回転駆動されており、その各周面のミラー（反射面）により各レーザ光を反射しつつ主走査方向Ｘに繰り返し走査する。このポリゴンミラー７４は、ミラー載置台上に回転可能に支持固定されており、このミラー載置台が、筐体１ａ内に載置固定された支持部材上にネジ等（図示省略）によって支持固定されている。
【００６２】
第１ｆθレンズ７５、各反射ミラー７６、および各第２ｆθレンズ７７は、主走査方向Ｘに繰り返し走査されるそれぞれのレーザ光を反射したり屈折させるため、主走査方向Ｘに長くされ、かつ主走査方向Ｘに直交する方向で短くされた棒状に形成されており、それらの両端が筐体１ａに支持固定されている。
【００６３】
ブラックに対応するレーザダイオード７１ｋから出射されたレーザ光は、ミラー７２ｋ、ミラー７２ｍおよびミラー７３で順次反射され、ポリゴンミラー７４で反射されて主走査方向Ｘに走査され、さらに第１ｆθレンズ７５を透過して、単一の反射ミラー７６ｋで反射され、第２ｆθレンズ７７ｋを透過して、ブラックに対応する感光体ドラム３ｋに入射する。
【００６４】
シアンに対応するレーザダイオード７１ｃから出射されたレーザ光は、ミラー７２ｃ、ミラー７２ｍおよびミラー７３で順次反射され、ポリゴンミラー７４で反射されて主走査方向Ｘに走査され、さらに第１ｆθレンズ７５を透過して、２個の反射ミラー７６ｃ，７６ｃで反射され、第２ｆθレンズ７７ｃを透過して、シアンに対応する感光体ドラム３ｃに入射する。
【００６５】
イエローに対応するレーザダイオード７１ｙから出射されたレーザ光は、ミラー７２ｙ、７２ｋおよびミラー７３で順次反射され、ポリゴンミラー７４で反射されて主走査方向Ｘに走査され、さらに第１ｆθレンズ７５を透過して、２個の反射ミラー７６ｙ，７６ｙで反射され、第２ｆθレンズ７７ｙを透過して、イエローに対応する感光体ドラム３ｙに入射する。
【００６６】
マゼンタに対応するレーザダイオード７１ｍから出射されたレーザ光は、ミラー７３で反射され、ポリゴンミラー７４で反射されて主走査方向Ｘに走査され、さらに第１ｆθレンズ７５を透過して、２個の反射ミラー７６ｍ，７６ｍで反射され、第２ｆθレンズ７７ｍを透過して、マゼンタに対応する感光体ドラム３ｍに入射する。
【００６７】
各感光体ドラム３ｋ，３ｃ，３ｍ，３ｙは、図３（ｂ）に示す矢印方向に回転駆動されており、主走査方向Ｘに繰り返し走査されるそれぞれのレーザ光を照射されて、各感光体ドラム３ｋ，３ｃ，３ｍ，３ｙの表面にそれぞれの静電潜像が形成される。各感光体ドラム３ｋ，３ｃ，３ｍ，３ｙ表面の静電潜像は、それぞれ現像されてトナー像となり、これらのトナー像が中間転写ベルト７を介して記録用紙に重ねて転写され、記録用紙上でカラーのトナー像となる。
【００６８】
上記構成において、図４に示すように、ブラックに対応するレーザダイオード７１ｋから出射されたレーザ光を反射させて第２ｆθレンズ７７ｋに透過させる反射ミラー７６ｋ、シアンに対応するレーザダイオード７１ｃから出射されたレーザ光を反射させて第２ｆθレンズ７７ｃに透過させるように配置された２つの反射ミラー７６ｃ，７６ｃのうちの第２ｆθレンズ７７ｃからの迷光の再反射距離が遠くかつポリゴンミラー７４への迷光の再反射距離が近い位置の反射ミラー７６ｃ（図３の（ｂ）では右側の反射ミラー７６ｃ）、イエローに対応するレーザダイオード７１ｙから出射されたレーザ光を反射させて第２ｆθレンズ７７ｙに透過させるように配置された２つの反射ミラー７６ｙ，７６ｙのうちの第２ｆθレンズ７７ｙからの迷光の再反射距離が遠くかつポリゴンミラー７４への迷光の再反射距離が近い位置の反射ミラー７６ｙ（図３の（ｂ）では右側の反射ミラー７６ｙ）、および、マゼンタに対応するレーザダイオード７１ｍから出射されたレーザ光を反射させて第２ｆθレンズ７７ｍに透過させるように配置された２つの反射ミラー７６ｍ，７６ｍのうちの第２ｆθレンズ７７ｍからの迷光の再反射距離が遠くかつポリゴンミラー７４への迷光の再反射距離が近い位置の反射ミラー７６ｍ（図３の（ｂ）では右側の反射ミラー７６ｍ）には、レーザ光の反射を抑制する非反射部材６１が設けられている。この非反射部材６１は、レーザ光を拡散させる表面粗さを備えたシート部材により形成されている。そして、非反射部材６１は、その対象となる反射ミラー７６ｋ，７６ｃ，７６ｙ，７６ｍにおいて主走査方向Ｘに走査されるレーザ光の主光路Ｇの反射に使用する主光路反射使用領域７６Ａ（図５の（ａ）〜（ｃ）では白抜きの部分）と隣接する領域、つまり主走査方向Ｘに走査されるレーザ光の主光路Ｇの反射に使用されない主光路反射不使用領域７６Ｂ（図５の（ａ）〜（ｃ）では斜線部分）をマスキングするように貼着されている。この場合、レーザ光の主光路Ｇは、反射ミラー７６上において主走査方向と略平行に直線状に延びている。
【００６９】
また、主光路反射不使用領域７６Ｂは、反射ミラー７６（７６ｋ，７６ｃ，７６ｙ，７６ｍ）上における主光路反射使用領域７６Ａの主走査方向Ｘと直交するＹ方向（図５に表れる）に設けられている。より具体的には、図５の（ａ）に示すように、ブラックに対応するレーザダイオード７１ｋから出射されたレーザ光を反射させて第２ｆθレンズ７７ｋに透過させる反射ミラー７６ｋ、および、シアンに対応するレーザダイオード７１ｃから出射されたレーザ光を反射させて第２ｆθレンズ７７ｃに透過させる反射ミラー７６ｃ（第２ｆθレンズ７７ｃからの迷光の再反射距離が遠くかつポリゴンミラー７４への迷光の再反射距離が近い位置の反射ミラー７６ｃ）の主光路反射使用領域７６Ａは、当該反射ミラー７６ｋ，７６ｃ上における主走査方向Ｘ（図５の（ａ）では左右方向）と直交するＹ方向の略中央に位置するように設定されており、主光路反射不使用領域７６Ｂは、反射ミラー７６ｋ，７６ｃ上における主光路反射使用領域７６Ａの主走査方向Ｘと直交するＹ方向両側（図５では上下両側）にそれぞれ設けられている。また、図５の（ｂ）に示すように、マゼンタに対応するレーザダイオード７１ｍから出射されたレーザ光を反射させて第２ｆθレンズ７７ｍに透過させる反射ミラー７６ｍ（第２ｆθレンズ７７ｍからの迷光の再反射距離が遠くかつポリゴンミラー７４への迷光の再反射距離が近い位置の反射ミラー７６ｍ）の主光路反射使用領域７６Ａは、反射ミラー７６ｍ上における主走査方向Ｘ（図５の（ｂ）では左右方向）と直交するＹ方向一側（図５では上側）に位置するように設定されており、主光路反射不使用領域７６Ｂは、反射ミラー７６ｍ上における主光路反射使用領域７６Ａの主走査方向Ｘと直交するＹ方向他側（図５では下側）に設けられている。更に、図５の（ｃ）に示すように、イエローに対応するレーザダイオード７１ｙから出射されたレーザ光を反射させて第２ｆθレンズ７７ｙに透過させる反射ミラー７６ｙ（第２ｆθレンズ７７ｙからの迷光の再反射距離が遠くかつポリゴンミラー７４への迷光の再反射距離が近い位置の反射ミラー７６ｙ）の主光路反射使用領域７６Ａは、反射ミラー７６ｙ上における主走査方向Ｘ（図５の（ｃ）では左右方向）と直交するＹ方向他側（図５の（ｃ）では下側）に位置するように設定されており、主光路反射不使用領域７６Ｂは、反射ミラー７６ｙ上における主光路反射使用領域７６Ａの主走査方向Ｘと直交するＹ方向一側（図５の（ｃ）では上側）に設けられている。
【００７０】
したがって、上記実施形態では、レーザダイオード７１（７１ｋ，７１ｃ，７１ｙ，７１ｍ）から出射されたレーザ光の主光路Ｇは、ミラー７２（７２ｋ，７２ｃ，７２ｙ，７２ｍ）およびミラー７３で順次反射され、ポリゴンミラー７４で反射されて主走査方向Ｘに走査され、さらに第１ｆθレンズ７５を透過して反射ミラー７６（７６ｋ，７６ｃ，７６ｙ，７６ｍ）で反射され、第２ｆθレンズ７７（７７ｋ，７７ｃ，７７ｙ，７７ｍ）を透過して、ブラック（Ｋ）、シアン（Ｃ）、マゼンタ（Ｍ）、イエロー（Ｙ）の各色に対応するそれぞれの感光体ドラム３（３ｋ，３ｃ，３ｙ，３ｍ）に入射される。
【００７１】
その場合、反射ミラー７６ｋ、第２ｆθレンズ７７ｃからの迷光の再反射距離が遠くかつポリゴンミラー７４への迷光の再反射距離が近い位置の反射ミラー７６ｃ（図４では右側の反射ミラー７６ｃ）、第２ｆθレンズ７７ｙからの迷光の再反射距離が遠くかつポリゴンミラー７４への迷光の再反射距離が近い位置の反射ミラー７６ｙ（図４では右側の反射ミラー７６ｙ）、および、第２ｆθレンズ７７ｍからの迷光の再反射距離が遠くかつポリゴンミラー７４への迷光の再反射距離が近い位置の反射ミラー７６ｍ（図４では右側の反射ミラー７６ｍ）には、レーザ光の反射を抑制する非反射部材６１が設けられている。これにより、他のレーザ光の光路上に位置する反射ミラー７６や第２ｆθレンズ７７などに再反射した迷光が当該反射ミラー７６（７６ｋ，７６ｃ，７６ｙ，７６ｍ）に入射しようとしても、これらの反射ミラー７６においてレーザ光の主光路Ｇの反射に使用される主光路反射使用領域７６Ａと隣接する主光路反射不使用領域７６Ｂをマスキングした非反射部材６１によって、反射ミラー７６ｋ，７６ｃ，７６ｙ，７６ｍでの迷光の再反射が抑制される。このため、当該反射ミラー７６ｋ，７６ｃ，７６ｙ，７６ｍに入射しようとする迷光の大部分が遮光され、感光体ドラム３ｋ，３ｃ，３ｙ，３ｍの表面への迷光の投射による露光強度の低下を抑制して、印刷画像への悪影響を抑えることができる。
【００７２】
しかも、非反射部材６１によってマスキングされる反射ミラー７６（７６ｋ，７６ｃ，７６ｙ，７６ｍ）として、第２ｆθレンズ７７（７７ｋ，７７ｃ，７７ｙ，７７ｍ）からの迷光の再反射距離が遠くかつポリゴンミラー７４への迷光の再反射距離が近い位置の反射ミラー７６ｋ，７６ｃ，７６ｙ，７６ｍが適用されていることにより、第２ｆθレンズ７７ｋ，７７ｃ，７７ｙ，７７ｍの凸面に反射して広がってポリゴンミラー７４に近付くに従い幅広となる迷光を、第２ｆθレンズ７７ｋ，７７ｃ，７７ｙ，７７ｍからの再反射距離が遠くかつポリゴンミラー７４への再反射距離が近い位置の反射ミラー７６ｋ，７６ｃ，７６ｙ，７６ｍにおいてその主光路反射使用領域７６Ａと隣接する主光路反射不使用領域７６Ｂをマスキングした非反射部材６１によって、効率よく遮光することができる。また、当該反射ミラー７６ｋ，７６ｃ，７６ｙ，７６ｍにおける主光路反射不使用領域７６Ｂが非反射部材６１によってマスキングされていることにより、他のレーザ光の光路上に位置する反射ミラー７６（７６ｋ，７６ｃ，７６ｙ，７６ｍ）や第２ｆθレンズ７７ｋ，７７ｃ，７７ｙ，７７ｍなどに再反射した迷光もその大部分を効率よく遮光することができる。
【００７３】
更に、ブラックおよびシアンに対応するレーザダイオード７１ｋ，７１ｃからそれぞれ出射されたレーザ光の走査時に反射ミラー７６ｋ，７６ｃ上において主光路反射使用領域７６Ａを走査されるレーザ光の主光路Ｇが反射ミラー７６ｋ，７６ｃの主走査方向Ｘと直交するＹ方向の略中央で反射するように設定されている場合、マゼンタに対応するレーザダイオード７１ｍから出射されたレーザ光の走査時に反射ミラー７６ｍ上において主光路反射使用領域７６Ａを走査されるレーザ光の主光路Ｇが反射ミラー７６ｍの主走査方向Ｘと直交するＹ方向一側で反射するように設定されている場合、および、イエローに対応するレーザダイオード７１ｙから出射されたレーザ光の走査時に反射ミラー７６ｙ上において主光路反射使用領域７６Ａを走査されるレーザ光の主光路Ｇが反射ミラー７６ｙの主走査方向Ｘと直交するＹ方向他側で反射するように設定されている場合には、その主光路反射使用領域７６Ａの主走査方向と直交するＹ方向両側、もしくはＹ方向他側または一側において主光路反射不使用領域７６Ｂ，７６Ｂをそれぞれマスキングする非反射部材６１，６１，…によって、主光路反射不使用領域７６Ｂにおいて再反射しようとする迷光を遮光しつつ反射ミラー７６ｋ，７６ｃ，７６ｙ，７６ｍの主走査方向と直交するＹ方向略中央、もしくはＹ方向一側または他側の主光路反射使用領域７６Ａにおいてレーザ光の主光路Ｇを円滑に反射することができる。
【００７４】
また、非反射部材６１がレーザ光を拡散させる表面粗さを備えたシート部材により形成されているので、迷光は非反射部材６１に入射されても拡散し、迷光を効果的に遮光することができる。
【００７５】
そして、このような光学走査装置１を画像形成装置Ａに用いることで、光学性能に悪影響を及ぼすことなく迷光の大部分を効果的に遮光して、感光体ドラム３（３ｋ，３ｃ，３ｙ，３ｍ）の表面への迷光の投射による印刷画像への悪影響を最小限に抑え得る画像形成装置Ａを提供することができる。
【００７６】
なお、本発明は、上記実施形態に限定されるものではなく、その他種々の変形例を包含している。例えば、上記実施形態では、レーザ光の主光路Ｇが反射ミラー７６上において主走査方向と略平行に直線状に延びる場合について述べたが、図６に示すように、反射ミラー７６上において主光路反射使用領域７６Ａが主走査方向Ｘに対し湾曲している場合には、主光路反射使用領域７６Ａの主走査方向Ｘと直交する両側（図６では上下両側）に沿って主光路反射不使用領域７６Ｂがそれぞれ設けられていればよい。その場合、レーザ光の走査時に反射ミラー７６上において主光路反射使用領域７６Ａを走査されるレーザ光の主光路Ｇ′にボウが生じてレーザ光の主光路Ｇ′が湾曲していても、そのボウが生じた主光路Ｇ′の反射に使用されるように湾曲している主光路反射使用領域７６Ａの主走査方向Ｘと直交する両側においてそれぞれ主光路反射使用領域７６Ａに沿ってマスキングする非反射部材６１によって、主光路反射使用領域７６Ａの主走査方向Ｘと直交する両側の主光路反射不使用領域７６Ｂ，７６Ｂにおいて再反射しようとする迷光を遮光し、湾曲する主光路反射使用領域７６Ａにおいてボウの生じたレーザ光の主光路Ｇ′を円滑に反射することが可能となる。
【００７７】
また、上記実施形態では、レーザ光を拡散させる表面粗さを備えたシート部材により非反射部材６１を形成したが、反射率の低い色彩（例えば黒など）の材料によって非反射部材が形成されていてもよく、この場合においても、迷光が非反射部材に入射された際に低い反射率で反射し、迷光を効果的に遮光することが可能となる。また、非反射部材として、反射ミラーに塗装される塗装剤が適用されていてもよく、この場合には、反射ミラーに対する非反射部材の設置が簡単かつ安価に行える上、非反射部材の設置自由度が飛躍的に向上し、実施する上で非常に有利なものとなる。
【図面の簡単な説明】
【００７８】
【図１】本発明の実施形態に係る光学走査装置を適用した画像形成装置を示す概略断面図である。
【図２】光学走査装置を詳細に示す斜視図である。
【図３】（ａ）は光学走査装置の概略平面図、（ｂ）は同概略断面図である。
【図４】第２ｆθレンズからの迷光を遮光する非反射部材を示す光学走査装置の概略断面図である。
【図５】（ａ）は光学走査装置の黒およびシアンに対応する反射ミラーの正面図、（ｂ）は光学走査装置のマゼンタに対応する反射ミラーの正面図、（ｃ）は光学走査装置のイエローに対応する反射ミラーの正面図である。
【図６】本実施形態の変形例に係る光学走査装置においてレーザ光の主光路が湾曲している場合の反射ミラーの正面図である。
【図７】従来例に係る光学走査装置において第２ｆθレンズでの迷光の発生を説明する説明図である。
【図８】その他の従来例に係る光学走査装置の概略断面図であって、ブラックに対応するレーザダイオードからのレーザ光が第２ｆθレンズに反射した際の迷光の行方を示している。
【図９】その他の従来例に係る光学走査装置の概略断面図であって、マゼンタに対応するレーザダイオードからのレーザ光が第２ｆθレンズに反射した際の迷光の行方を示している。
【符号の説明】
【００７９】
１          光学走査装置
３（３ｋ，３ｃ，３ｍ，３ｙ）
感光体ドラム（感光体）
６１        非反射部材
７１（７１ｋ，７１ｃ，７１ｍ，７１ｙ）
レーザダイオード（光源）
７４        ポリゴンミラー（回転多面鏡）
７６（７６ｋ，７６ｃ，７６ｍ，７６ｙ）
反射ミラー
７６Ａ      主光路反射使用領域
７６Ｂ      主光路反射不使用領域
７７（７７ｋ，７７ｃ，７７ｍ，７７ｙ）
第２ｆθレンズ（ｆθレンズ）
Ａ          画像形成装置
Ｇ，Ｇ′    主光路
Ｘ          主走査方向
Ｙ          主走査方向と直交する方向
【図１】
2010145486.tif 000003
【図２】
2010145486.tif 000004
【図３】
2010145486.tif 000005
【図４】
2010145486.tif 000006
【図５】
2010145486.tif 000007
【図６】
2010145486.tif 000008
【図７】
2010145486.tif 000009
【図８】
2010145486.tif 000010
【図９】
2010145486.tif 000011